Podtech/llm-jp-corpus-v4-ja_patent huggingface dataset:
(57)【要約】      （修正有）【課題】栄養価が高く、美味しい鯉の押し寿司を提供する。【解決手段】鯉のうま煮をオーブンで焼き上げ、これをシャリの上に乗せて鯉の押し寿司を構成する。【選択図】図１
0003164147.tif 000002
【実用新案登録請求の範囲】
【請求項１】
鯉のうま煮をオーブンで焼き上げた鯉のうま煮焼き上げをシャリの上に乗せて構成した事を特徴とする鯉の押し寿司
【請求項２】
前記鯉のうま煮の鯉の調理の前に牛乳に約３０分浸して、これをうま煮に加工し、これをオーブンで焼き上げた鯉のうま煮焼き上げをシャリの上に乗せた事を特徴とする鯉の押し寿司
【考案の詳細な説明】
【技術分野】
【０００１】本考案は鯉の押し寿司に関するものである
【背景技術】
【０００２】  鯉は古来より栄養価の高い食材として鯉こく（味噌汁）、甘露煮などの料理法で広く食されてきた。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】鯉は栄養価の高い食材ではあるが、世界から食材が集まる我が国の豊富な市場においては需要が低迷してきているのが現状である。川魚料理を家庭の台所で出来る家庭は限られてきており、骨の多い川魚が敬遠されてきている。霞ヶ浦では鯉ヘルペスの発生により、鯉の生産を停止していたが、これを克服して平成２１年４月より生産自粛が解除された。霞ヶ浦の鯉の生産を本格的に軌道に乗せるためには鯉の新たな需要を生み出す新製品が地域経済にとって非常に重要である。鯉の加工食品として鯉のうま煮があるが、需要が伸び悩んでいた。
【課題を解決するための手段】本考案は鯉のうま煮を更にオーブンで焼き上げ、これをシャリの上に乗せて押し寿司に構成し、新たな鯉の重要を創り出すものである。
【考案の効果】本考案の構成による鯉の押し寿司は次のような効果を生む事が出来た。
○  鯉をうま煮に加工した後、オーブンで１．５時間焼き上げる事により、水分が減少し、風味が増し、押し寿司に適した食材になる。鯉のうま煮を更にオーブンで焼き上げる加工方法はこれまでに例がなく、新たに創案した方法である。この工程の組み合わせが本考案の基幹部分である。
○  １．５時間に煮てうま煮に加工した後、オーブンで１．５時間焼き上げる事で鯉の骨は柔らかくなり、食べやすくなる。
骨は骨資質である９０％のコラーゲンと１０％の非コラーゲンにリン酸カルシュームが沈着して形成されている。加熱調理した場合、コラーゲン分子の三重ラセンの一部がほぐれてゼラチンに変成する。本考案はうま煮加工で水分を有する状態で１．５時間加熱し、更にうま煮による水分が残った状態で１．５時間加熱する事で前記のゼラチンへの変成が起こり食べやすくなるのである。
○  鯉のうま煮とシャリが上手く調和して非常に美味しい上品な押し寿司が出来る。
○  特有の魚臭さが無く、広く普及出来る可能性がある。
○  鯉はタンパク質、脂質、ビタミン、ミネラルを豊富に含んでいるので栄養価の高い食品である。ビタミンＢ１が豊富で疲労やイライラの解消に効果的である。
利尿作用があるので、妊婦中のむくみの改善や慢性腎炎などにも効果があるといわれている。
○  押し寿司に構成した事で主食としての大きな市場への道が開かれ、霞ヶ浦の鯉の有効活用として期待できる。
【図面の簡単な説明】
【図１】は本考案の一実施例を示す斜現図である。
【考案を実施するための形態】
本考案を図によって説明すると、図１は本考案の鯉の押し寿司の斜視図であり、鯉のうま煮焼き上げ１をシャリの上に乗せて本考案を構成する。
【実施例】本考案の製造工程は次のようなものである。
▲１▼  鯉を清水槽にいれて魚の臭みを抜く
▲２▼  三枚におろす
▲３▼  骨切りを細かく行う
▲４▼  一昼夜冷蔵庫で冷やす
▲５▼  元ダレ＋砂糖＋醤油＋味醂＋水あめで構成した煮汁で１．５時間煮る。
いわゆるうま煮を作る。
▲６▼  冷却
▲７▼  手作りオーブンにより、１．５時間焼き上げる。
▲８▼  焼き上げた鯉を切り、シャリの上に乗せて押し寿司を作る。
変形例として、鯉の臭みを更に減少させる方法として次のような方法も出来る。コスト高になるが、効果は高い。
●魚をざっと水洗いして、調理する前に３０分くらい牛乳をひたひたにしたなかに入れておく。牛乳のタンパク成分のカゼインの働きによるマスキング効果である。
【産業上の利用可能性】
【符号の説明】  １：鯉のうま煮焼き上げ
２：シャリ
【図１】
0003164147.tif 000003
【手続補正書】
【提出日】平成22年8月25日(2010.8.25)
【手続補正１】
【補正対象書類名】実用新案登録請求の範囲
【補正対象項目名】請求項２
【補正方法】変更
【補正の内容】
【請求項２】
鯉のうま煮の鯉の調理の前に牛乳に約３０分浸して、これをうま煮に加工し、これをオーブンで焼き上げた鯉のうま煮焼き上げをシャリの上に乗せた事を特徴とする鯉の押し寿司
(57)【要約】      （修正有）【課題】死角に当たる方角の状況をフロントガラス正面に見えるようにする半透視ミラーを備える自動車を提供する。【解決手段】フロントガラス前方に設けられる半透視ミラーが、左右方向指示器に連動してボディから上昇し、所定角度に固定される機構を備える。【選択図】図３
0003164146.tif 000002
【実用新案登録請求の範囲】
【請求項１】
見えない死角に当たる外の場所を見る装置で自動車、その他の運転手から右側斜め前方が見えない死角（図１参照）．運転手から見えない左側の死角、これを解消するために、図−２の様に半透視ミラーをフロントガラス前方に設け、左右方向指示器を作動するのに連動し半透視ミラーがボディから上昇し、しかも右側、左側の指示による回転角度を決定し、固定するものです。
【考案の詳細な説明】
【技術分野】
【０００１】本考案は自動車、その他で利用されるもので全くの新案。
【背景技術】
【０００２】従来の自動車は横断歩道で死角に対する確認出来る、装置がなかった。
【先行技術文献】
【特許文献】
【０００３】
【特許文献１】実用新案登録  第３１４８２６９号
【考案の概要】
【考案が解決しようとする課題】
【０００４】従来の自動車で横断歩道時に人間引掛け事故が多発していた。死角を見ることの安全が所望されていた。
【課題を解決するための手段】
【０００５】本考案は上記目的を達成するために運転手から見た死角に当たる状況をフロントガラス前方に半透視ミラーを設けたものから映像を見て安全を確認するものです。
【考案の効果】
【０００６】上記した本考案によれば見えない死角に当たる方角の状況を半透視ミラーで映像が確認され、安全確保、事故防止に役立ちます。
【図面の簡単な説明】
【０００７】
【図１】運転席から見た死角概要図
【図２】運転席から見た半透視ミラー設置図
【図３】自動車上部から見た半透視ミラー設置図
【図４】半透視ミラー構造図
【考案を実施するための形態】
【０００８】以下本考案に関する図面と実施の形態について図面を参照し具体的に説明する。
【実施例】
【０００９】図１は本考案に関連する見取り図で運転席から見た死角概要図です。
自動車の左右のボディフレームとバックミラー（黒く塗ってある部）は視界０％で斜線部は視界良好です。
従って点線表示の死角の中の視界はほゞ５０％近いものと思われます。左右とも同じです。【００１０】図２は運転席から見た半透視ミラー設置図で運転席からはフロントガラスの前方に半透視ミラーが見え、前方のＡ部も明るく透視実像も見えると共に左側の死角内の外の人物がミラーに反射映像として見える。
右側の場合もこれに準じます。
又、半透視ミラーは支柱が上下し、運転手の目の高さに調節されて固定されます。
又、ミラーは支柱の回転により、運転手の目に映る様角席調節が可能です。何れも、左右方向指示器の指令が出た時に連動してその高さと角度を設定される。【００１１】図３は自動車上部から見た半透視ミラー設置図ですが、図２と同様、運転手からはフロントガラスを越した半透視ミラーを通して前方Ａ′部が見られると共に、左側の死角の外に居る人物が半透視ミラーに映像として映り、運転手から確認出来るものです。
半透視ミラーは、左右方向指示器の指令に連動し、高さとαの角度をもって左右の角度位置を決定する。
右側の死角の外の人物についても、同様の作動をして確認することが出来ます。
ミラーは自動車がカーブして横断歩道を渡った時点で、ハンドルが元へ戻れば、連動してミラーは下へ下がり格納される。【００１２】図４は半透視ミラー１の構造図でその設置場所はフロントガラスとボンネットの蓋の間の部分でワイパーから外れた所へ設けます。
そしてミラー自体は１枚でも、格納の仕方により２枚でも良いです。
ミラーの材質はガラスを主としますが、半透視ミラーにすることです。
大きさは２０ｃｍ角で厚さは５ｍ／ｍ程度とします。
プラスチック板でも良いですが、左右人物の映像が反射して見られる様、薄いフィルムを貼りつけます。
勿論、プラスチックは透明性のあるもので、前方Ａ′部が見られる様にします。
0003164146.tif 000003
表面加工をしておく。
又、ミラーを支える支柱はパイプで材質はステンレスパイプが良いでしょう。
そしてパイプの上下運動と回転は、その下部に小型モーター、機械部、電子制御部を設けて居り、出された指令により、モーターが駆動するとモーター軸が回転し、各歯車を介して、支柱が作動します。
0003164146.tif 000004
使い連動作動させて、ストッパーを含めて、ミラーを定位置、定角度に停止させる。
【符号の説明】
【００１３】１．半透視ミラー
１−１．ミラー本体
１−２．雨避け
１−３．支柱
１−４．小型モーター部、機械部、電子制御部
２．バックミラー
３．ルームミラー
４．ボディフレーム
５．フロントガラス
６．運転手の目
７．運転手の座席
８．前輪タイヤ
９．ボンネット
１０．人物
【図１】
0003164146.tif 000005
【図２】
0003164146.tif 000006
【図３】
0003164146.tif 000007
【図４】
0003164146.tif 000008
【手続補正書】
【提出日】平成22年8月25日(2010.8.25)
【手続補正２】
【補正対象書類名】実用新案登録請求の範囲
【補正対象項目名】全文
【補正方法】変更
【補正の内容】
【実用新案登録請求の範囲】
【請求項１】
半透視ミラーをフロントガラス前方に設け、前記半透視ミラーは、左右方向指示器を作動するのに連動して、ボディから上昇し、かつ所定の角度に固定される機構を備える自動車。
(57)【要約】      （修正有）【課題】いつでも、またどこででも３目並べゲームができる煙草箱サイズの３目並べゲーム板を提供する。【解決手段】煙草箱サイズの本体に○×や白黒の表示のついた丸い板２を収納できるように本体に穴３を開けた。また二つ折りの本体に間違って開かないよう、開閉のためのマグネット４をつけた。煙草箱サイズの３目並べゲーム板本体のマグネット部分４を手で開き、丸い穴３に収納されている○×や白黒のついた丸い板２を取り出す。その後、煙草箱サイズの３目並べゲームをする。【選択図】図２
0003164141.tif 000002
【実用新案登録請求の範囲】
【請求項１】
煙草箱サイズで開くことのできる３目並べゲーム板本体（１）と○×又白黒の色の表示のついた専用の丸い板（２）それと、専用の丸い板を納める為に本体に開けた３つの穴（３）また、ゲーム板本体の開閉の為に取り付けたマグネット（４）これらで構成される煙草箱サイズの３目並べゲーム板
【考案の詳細な説明】
【考案の詳細な説明】
【産業上の利用分野】
【０００１】この考案はいつでも、またどこででも３目並べゲームができる煙草箱サイズの３目並べゲーム板に関するものである。
【背景技術】
【０００２】従来においては卓上用の３目並べゲーム板はあった。
【考案が解決しようとする課題】
【０００３】これにはつぎのような欠点があった。
本来、気楽の楽しめるはずの３目並べゲームが、従来の大きさだと場所が限定される。本考案はこの欠点を解決するものである。
【課題を解決するための手段】
【０００４】煙草箱サイズのゲーム本体（１）に○×や白黒の表示のついた丸い板（２）、丸い板を収納するための３つの穴（３）ゲーム板本体の開閉の為に取り付けたマグネット（４）などで構成される煙草箱サイズの３目並べゲーム板である。
【作用】
【０００５】煙草箱サイズの３目並べゲーム板本体（１）のマグネット部分（４）を手で開き、丸い穴（３）に収納されている○×や白黒のついた丸い板（２）を取り出す。その後、煙草箱サイズの３目並べゲーム板をする。
【実施例】
【０００６】屋外、あるいは室内で煙草箱サイズの３目並べゲームをハンドバックやポケットから取り出し３目並べゲームをする。
【考案の効果】
【０００７】煙草箱サイズの３目並べゲームなので室内はもちろん野外でも、気楽にいつでも、どこでも３目並べゲームができる。小さなサイズなので胸ポケット、ハンドバッグなど簡単に気軽に持ち運びができる。
健康のための気分転換や人との交流、脳と手を使うので老人のぼけ防止にもなる。
【図面の簡単な説明】
【図１】側面  正面  平面
【図２】開いたときの平面
【符号の説明】１    ゲーム板本体
２    ○×や白黒の表示のついた丸い板
３    丸い板を納めるための３つの穴
４    開閉の為のマグネット
【図１】
0003164141.tif 000003
【図２】
0003164141.tif 000004
(57)【要約】      （修正有）【課題】カラス、猫等の侵入を防ぎ、生ゴミ等をあらされる事がなく、ゴミ集積所周辺の環境悪化を防ぎ、美観を提供し、また使用後はコンパクトに折り畳むことができるシートを提供する。【解決手段】絵入り、模様入り、カラーシート全体で、カラス、猫等の視覚を遮り、当該シートで美観を提供し、当該シートと鎖とを結び編んで、カラス、猫等の侵入を防ぎ、防風対策を施し、さらに、当該シートと鎖とを鳥害防止紐で留め具に結び当該シートと鎖とを一つおきに飛ばして編むことによって、コンパクトに折りたたむことができて保管場所も小さくて済むようにした。【選択図】図２
0003164149.tif 000002
【実用新案登録請求の範囲】
【請求項１】
絵入り、模様入り、カラーシートでゴミ集積所周辺の美観を提供し、当該シートと鎖とを鳥害防止紐で編むことによって、カラス、猫等の侵入を防ぎ、防風対策をも施し、さらに当該シートと鎖とを鳥害防止紐で、留め具穴で結び一つおきに当該シートと鎖とを飛ばして編んで、小さく折りたためる事もできる、絵入り、模様入り、カラーシートである。
【考案の詳細な説明】
【技術分野】
【０００１】  本考案は、ゴミ集積所の環境悪化を防ぎ、なおかつ当所周辺の美観を提供するものである。
【背景技術】
【０００２】  ゴミ集積所には、カラスよけ防護ネットが置かれていても、カラス、猫等の侵入により使用中そして、その後も大変環境が悪化している。
【考案の概要】
【考案が解決しようとする課題】
【０００３】  従来の防護ネットは、カラス、猫等の視覚で餌を探し、ネットを持ち上げゴミを持ち出し、ゴミ集積所周辺に散乱させ、環境を悪化させるとゆう課題に充分に対応し解決していない。
【課題を解決するための手段】
【０００４】  本考案は、当該シートでゴミ集積場周辺の美観を提供し、当該シートと鎖とを鳥害防止紐で編むことによって、カラス、猫等の侵入を防ぎ、防風対策をも施し、さらに当該シートと鎖とを鳥害防止紐で留め具穴で結び一つおきに当該シートと鎖とを飛ばして編んで、小さく折りたためることもできる、絵入り、模様入り、カラーシートであり、充分に課題を解決している。
【考案の効果】
【０００５】  考案では、当該シート全体でゴミ残飯等、全部見えないように覆い、カラス、猫等の視覚を遮断し、当該シートと鎖とを鳥害防止紐で結び編んでカラス猫等の侵入を防ぎ、生ゴミ等あらされる事はない。また当該シートによりゴミ集積所周辺の、環境悪化を防ぎ、美観を提供している。また使用後はコンパクトに折り畳むことができる。
【図面の簡単な説明】
【０００６】
【図１】  当該シート表平面図。表平面全体を絵入り、模様入り、カラーシートにして、カラス、猫等の視覚をさえぎり、侵入を防ぐ。
【図２】  当該シート裏平面図。当該シートの四側面周縁部に、シートと鎖とを当該紐で結び編んで、カラス、猫等の侵入を防ぎ、風害にも充分に耐えられるようにしたものである。
【図３】  当該シート裏平面図一部拡大図。当該シートと鎖とを当該紐で留め具に結び鎖を一つ置きに飛ばして編むことによって容易に折りたたむことができ、取り片づけが簡単であり、コンパクトに折りたためて、保管場所が小さくてよい。
【図４】  当該シートを折りたたんだ図。コンパクトに折りたたむことができ、保管場所が、約、横２５センチ、縦４６センチで小さくてよい。
【図５】  当該シート正面斜影図。当該シートを使用中は、絶えずゴミ集積所周辺の環境を保持し、美観を提供している。
【図６】  当該シート側面斜影図。図５と同じである。
【考案を実施するための形体】
【０００７】    本考案はゴミ集積所のゴミ袋、残飯等を、当該シートで覆い、ゴミ回収を容易にし、使用後は、コンパクトにたたんで保管する。
【実施例】
【０００８】  以下、添付図面に従って一実施例を説明する。１は絵入り、模様入り、カラーシートにて、鎖、鳥害防止紐で一体化された表本体、２当該シート、鎖、当該紐で一体化された裏本体、３は、当該シートと鎖とを当該紐で留め具穴に結んで、そこから、当該シートと鎖とを一つおきに飛ばして編んで、コンパクトに折りたためるようにした、裏本体一部拡大図、４は当該シートをコンパクトに折りたたんで保管場所が小さくてすむ、５は、当該シート使用中でゴミ集積所付近の美観を提供している。
【符号の説明】
【０００９】１  絵入り、模様入り、カラーシート
２  鳥害防止紐
３  シートと、鎖とを結ぶ樹脂製の留め具
４  鎖
【図１】
0003164149.tif 000003
【図２】
0003164149.tif 000004
【図３】
0003164149.tif 000005
【図４】
0003164149.tif 000006
【図５】
0003164149.tif 000007
【図６】
0003164149.tif 000008
【手続補正書】
【提出日】平成22年7月7日(2010.7.7)
【手続補正１】
【補正対象書類名】図面
【補正対象項目名】図３
【補正方法】変更
【補正の内容】
【図３】
0003164149.tif 000009
【手続補正書】
【提出日】平成22年8月26日(2010.8.26)
【手続補正１】
【補正対象書類名】実用新案登録請求の範囲
【補正対象項目名】全文
【補正方法】変更
【補正の内容】
【実用新案登録請求の範囲】
【請求項１】
絵入り、模様入り、四角形状のカラーシートであって、当該シートと鎖とが四側面の周端部で鳥害防止紐で編まれており、さらに当該シートと鎖とを鳥害防止紐で四隅部にもうけられた留め具穴で、一つおきに当該シートと鎖とを飛ばして編まれてなる絵入り、模様入り、カラーシート。
(57)【要約】      （修正有）【課題】風圧を強化して風車を回転させ発電することができるフライホイル付風車を提供する。【解決手段】シャフト５に、ギア１０の遠心式クラッチ１２を取付け、回転羽根１３を連結する。【選択図】図１
0003164143.tif 000002
【実用新案登録請求の範囲】
【請求項１】
フライホイル付風車を集風案内羽根を風の方向に自在に変え風車を回転させる無風の状態でもフライホイルの遠心力で回転させ風の強弱で遠心力クラッチで発電機の回転が停止、運転の切り変えが出来る風車。
【考案の詳細な説明】
【考案の詳細な説明】
【産業上の利用分野】
【０００１】本考案は送風機と連結して室内に送風が出来る又発電機と連結して発電出来る。
【背景技術】
【０００２】風車を風あたりのよい丘とか海岸の風通しのよいところで発電している。
【考案が解決しようとする課題】
【０００３】本考案は無風の状態でもフライホール（バザミ車）が徴風で回転し風の強弱で遠心力クラッチが切り変わり風の強弱で遠心力クラッチで調整している。
【０００４】考案は風車を１基でなく、２基３基とスペスを利用して風車を取り付けて発電も出来る。
【実施例】
【０００５】以下、本考案の構成を図面に示す実施例に基づいて詳細に説明する。【０００６】図１、図２、図３、を詳細に説明
１３の回転羽根を９の回転羽根台に上下に取り付ける前に、１３の羽根台に５のシャフトに１０のギア１２の遠心式クラッチを取付、１３の回転羽根を連結した〔図１〕のように、９の回転羽根台に通した５のシャフトの上下端に１７の軸受を取付１の支柱と２の支柱架台とセットして１５の発電機と接続する。【０００７】上述の実施例は本考案の好適な実施の一例ではあるが、これに限定されるものではなく本考案の要旨を逸脱しない範囲においては種々変形の実施も可能である。
【考案の効果】
【０００８】自然の風圧を利用して風車を回転させ、フライホールで無風の状態でも風車が回転し強風を受けて発電が出来る効果がある。
【図面の簡単な説明】
【０００９】
【図１】本考案  風車の側面図
【図２】本考案  風車の正面図
【図３】本考案  風車の平面図
【図４】本考案  遠心式クラッチの断面図
【符号の説明】
【００１０】  １→支柱１
２→支柱架台
３→支柱２
４→支柱３
５→シャフト
６→風向ガイド板
７→風車架台
８→フライホイル（ハズミ車）
９→回転羽根台
１０→ギア
１１→軸受台
１２→遠心式クラッチ
１３→回転羽根
１４→発電機架台
１５→発電機
１６→ローラーベアリング
１７→軸受台
１８→アンカーボルト
１９→セメント
【図１】
0003164143.tif 000003
【図２】
0003164143.tif 000004
【図３】
0003164143.tif 000005
【図４】
0003164143.tif 000006
(57)【要約】      （修正有）【課題】簡易な構造で、均一な照明が可能な照明付き額縁を提供する。【解決手段】照明付き額縁は主に額縁前部の中央部天面にはガラスあるいはアクリルのような透明板が、箱形状筐体の壁面内には光源がそれぞれ設けられ両者が一体となって被照明体を照明する。内部には光源前面の放射光通過部分はアクリルやガラスよりなる半透明の板材で、他の辺部分は該板材の背面に該放射光をよく反射する反射材を付加した格子状枠組を額縁前部と背面板の間に挟まれるように設け、光源からの透過放射光を拡散、屈折もしくは反射する。【選択図】図１
0003164352.tif 000002
【実用新案登録請求の範囲】
【請求項１】
額縁前部およびこれと一体的に成る箱形状筐体ならびにその背面板を主な構成要素とし、該額縁前部の中央部天面にはガラスあるいはアクリルよりなる透明板が、該箱形状筐体の壁面内には光源がそれぞれ設けられ該背面板に近接して配設された図画や写真、文書あるいは工作物よりなる被照明体を照明する構造を有し、照明用光源の前面部分は光源からの放射光を拡散、屈折もしくは透過させ、他の部分はその光が裏面に設けられた反射材で反射されるようにした半透明なアクリルもしくはガラスの板より成る格子状枠組を設けて成る照明付き額縁。
【考案の詳細な説明】
【技術分野】
【０００１】本考案は箱型形状の額縁の縁辺内部に照明装置を持ち、その底面に配設される図画、写真、文書あるいは工作物等被照明体（以下被照明体）を照明する額縁、写真立て、表示板等（以下額縁等）の装置および方式に関するものである。
【背景技術】
【０００２】近年いわゆる「デジタルフォトフレーム」としてデジタルカメラで得たデジタルの写真情報を液晶表示装置で多様に表示する専用機器が商品化され広まりつつある。また写真をフィルムや透明な樹脂板に特別の方法で半透明状態に印刷しその背面からいわゆるバックライト光源で照射する表示装置も普及しているが、下記文献のように図画や写真等の画面が印刷あるいは印画された紙や布等画材の現物をそのまま照明表示する額縁や写真立てのような装置は現時点で市場ではほとんどない。
【考案の開示】
【０００３】本考案は、額縁筐体壁面の内部に沿って設けられた光源で筐体内背面もしくは近傍に配設された被照明体をそのままの状態で額縁前部に設けられるガラスやアクリルのような透明な反射板との相互作用で一体的に照明できる照明付き額縁の内部に、額縁前部の内面と額縁背面に設けられる背面板間で照明用光源の前面に半透明板よりなる枠組を設け、両者を所定の間隔で仕切り光源からの放射光を拡散、屈折もしくは反射し被照明体の照明に供せられるよう構成されてなる照明付き額縁を提供する。
【考案が解決しようとする課題】
【０００４】従来の照明付き額縁は光源からの放射光を被照明体にできるだけ均一にあてるように複数の額縁筐体壁面の内部に沿って複数の光源を設けたり、光源近傍に特殊なレンズや反射体を設けたりして改善を図っているが、いずれも構造が複雑でコストが高くつきやすい欠点があった。
【課題を解決するための手段】
【０００５】本考案の照明付き額縁は主に額縁前部の中央部天面にはガラスあるいはアクリルのような透明板が、箱形状筐体の壁面内には光源がそれぞれ設けられ両者が一体となって被照明体を照明する。内部には光源前面の放射光通過部分はアクリルやガラスよりなる半透明の板材で、他の辺部分は該板材の背面に該放射光をよく反射する反射材を付加した格子状枠組を額縁前部と背面板の間に挟まれるように設ける。
【考案の効果】
【０００６】本考案による額縁は簡略な枠組構造を内蔵することにより光源からの透過放射光を拡散、屈折もしくは反射し被照明体のより均一な照明に役立たせる。光源近傍の放射光は格子状枠組内部に拡散するが、反射材の反射でふたたび該格子状枠組内にもどり被照明体の照明に寄与する。ここに半透明の板材として乳白材やスモーク材等の光拡散効果のあるものを用いると照明光を直視した場合のまぶしさを軽減するとともに格子状枠組みの４辺から被照明体の全方向に照度を与える照明装置を得やすくなる。以上の結果照明用光源の数量を大幅に軽減したり照度の向上ができ、簡易で効果的な構造が可能となる。
【実施例】
【０００７】以下、本考案を図１の応用実施例について説明する。図１は本考案による装置の代表例としての照明付き額縁の概略断面図（左図は右図のＺ−Ｚ断面による平断面、右図は左図のＹ−Ｙ断面による側断面）である。本装置の構造は主に該照明付き額縁の額縁前部（１）、筐体（２）、背面板（３）、該背面板（３）を該筐体（２）に着脱するための留め具（４）、該額縁前面（１）に取り付けられる透明板（５）、飾り縁（６）、該筐体の内部壁面に取り付けられる光源（７）、格子状の枠組（８）、押さえ板（９）、被照明体（１０）および反射板（１１）で構成される。【０００８】額縁前部（１）はこれと一体的に連接する筐体（２）および背面板（３）で額縁の外形を形成する。該筐体（２）の周辺内面には同図のように光源（７）が配設され該背面板（３）に密接して装着される被照明体（１０）をその前面側から照明する。ここに押さえ板（９）はこの被照明体（１０）の装着、固定に供せられ、該光源（７）は主にＬＥＤ（発光ダイオード）を線状に並べたり、ＣＣＦＬ（冷陰極管）を用いたりして該筐体（２）内面に沿って発光するよう配設される。該光源（７）の光が放射される前面側には図のように格子状の枠組み（８）が被照明体（１０）を取り囲むように設置され、該押さえ板（９）とほぼ同形状の飾り縁（マット紙）で該光源（７）を包含する。ここに該枠組み（８）は該押さえ板（９）または被照明体（１０）と該飾り縁（６）の間隔が照明に適した間隔になる高さに設定され、材料は乳白やスリガラス（スモークガラス）状の半透明なアクリルもしくはガラスで該光源（７）の直前の辺部では光の拡散効果を高め、該光源（７）の無い辺部では背面にミラーシートなどの鏡面を付設し光の反射効果を高めるように構成される。この結果光源（７）から放射された光はその前面の格子状枠組みの辺部の拡散板を通して被照明体（１０）を照らすと同時に一部は他の辺部の拡散板に入射した後その背後の反射板で反射され再び拡散板から出光して被照明体（１０）の照明に寄与する。この時該額縁前面（１）天面に設けられたガラスあるいはアクリルの透明板が前記光の放射や反射に役立つ。なお、拡散効果を高めかつまぶしさを防止するために透明度の高い材料に塗料を塗布したり、レンズ又は凹凸面を設けたりしても同様効果が得られる。また留め具（４）は必要に応じ背面板（３）を着脱する場合その固定に用いられる。
【図面の簡単な説明】
【０００９】
【図１】本考案に係る構造の概略平面図及び側断面図
【符号の説明】
【００１０】（１）額縁前部  （２）筐体    （３）背面板  （４）留め具
（５）透明板    （６）飾り縁  （７）光源    （８）枠組
（９）押え板    （１０）被照明体  （１１）反射板
【図１】
0003164352.tif 000003
(57)【要約】      （修正有）【課題】ペットが代わる度に位牌を書き換える必要がなく、小さいペットの仏壇の中でも古い位牌を保持可能で、供養する機会の減少を防止できるように、位牌に２次元バーコードを記した位牌を数枚重ねて保管でき、供養したい名前を携帯で即座に読み取り、目的の位牌を仏壇の前面に立て供養できるようにしたペット用位牌を提供する。【解決手段】ペット用位牌は、基台部と、表示部からなり、表示部には２次元バーコードを印刷、又は彫刻で印字する部分を設ける。さらに、基台部と表示部は、同一部材で一体型として成形したり、あるいは、基台部と表示部が別部材で成型され着脱自在に構成する。さらに、上記２次元バーコードには、ペットの名前、誕生日、命日、贈る言葉等を書き入れる。【選択図】図２
0003164351.tif 000002
【実用新案登録請求の範囲】
【請求項１】
基台部とＱＲコード（登録商標）表示部からなるペット用位牌
【考案の詳細な説明】
【技術分野】
【０００１】  本考案は、ペット用仏壇に関するものである。
【背景技術】
【０００２】  従来、ペット用仏壇には、ペットの名前を入れた小型の位牌、又はペットの写真を入れた位牌などがある。
【考案の概要】
【考案が解決しようとする課題】
【０００３】  ペットブームといわれながら、いまだに亡くなったペットが供養されていない事が数多く見受けられる。
本考案は、以上の問題点を解決する為になされたものである。
【課題を解決するための手段】
【０００４】  本考案は亡くなったペットを供養する為の仏壇に興味をもってもらう為、位牌にＱＲコード（登録商標）を採用したことである。携帯電話で読み取れるＱＲコード（登録商標）にはペットの名前、誕生日、命日、送る言葉  等を書き入れる。
【考案の効果】
【０００５】  従来、ペットの仏壇を使用している飼い主は、ペットが代わる度に位牌を書き換える必要がありましたが、小さいペットの仏壇の中ではスペース的にも古い位牌を保持するのは難しく、供養する機会も少なくなってくる。
本考案は、ＱＲコード（登録商標）位牌を数枚重ねて保管できる為、供養したい名前を携帯で即座に読み取り、目的の位牌を仏壇の前面に立て供養できるものである。
【図面の簡単な説明】
【０００６】
【図１】本考案の斜視図
【図２】本考案の使用状態を示す斜視図
【図３】本考案の応用斜視図
【考案を実施するための形態】
【０００７】  以下、本考案の実施の形態を説明する。
（イ）  基台部と、表示部からなる位牌である。
（ロ）  表示部にはＱＲコード（登録商標）を印刷、又は彫刻で印字する部分を設ける。
（ハ）  基台部と表示部は図１に示すとおり、同一部材で一体型として成形したり、図３に示すとおり、基台部と表示部が別部材で成型され着脱自在となる。
【符号の説明】
【０００８】  １  基台部、２  表示部、
【図１】
0003164351.tif 000003
【図２】
0003164351.tif 000004
【図３】
0003164351.tif 000005
(57)【要約】      （修正有）【課題】縫針やまち針の先端部や後端部を確実に保護することにより、安全に各針を持ち運びすることができる保護キャップを提供する。【解決手段】針の先端及びまたは後端を保護するキャップであって、下面に挿入孔を設け、底部内面をテーパー状に形設してなる押圧部を設けてなる中空状のキャップ本体２内に、下部に押圧部に対応するベアリングによる締付部を設けると共に、中心に穴を設けた締付保持体３を弾性具５にて上下動可能に形成してなり、締付保持体の頂部に装飾具４を設けてなることを特徴とする針用保護キャップ１。【選択図】図１
0003164353.tif 000002
【実用新案登録請求の範囲】
【請求項１】
針の先端及びまたは後端を保護するキャップであって、下面に挿入孔を設け、底部内面をテーパー状に形設してなる押圧部を設けてなる中空状のキャップ本体内に、下部に押圧部に対応するベアリングによる締付部を設けると共に、中心に穴を設けた締付保持体を弾性具にて上下動可能に形成してなり、締付保持体の頂部に装飾具を設けてなることを特徴とする針用保護キャップ。
【請求項２】
弾性具が、圧縮スプリングであることを特徴とする請求項１記載の針用保護キャップ。
【請求項３】
挿入孔の寸法をΦ０．３ｍｍ〜Φ１．１ｍｍとすることを特徴とする請求項１又は２記載の針用保護キャップ。
【請求項４】
キャップ本体の外周より、装飾具を突出してなることを特徴とする請求項１、２又は３記載の針用保護キャップ。
【請求項５】
装飾具の外形が、多角形あるいは昆虫形あるいは動物形であることを特徴とする請求項１、２、３又は４記載の針用保護キャップ。
【請求項６】
装飾具がガラスや非鉄金属・樹脂であることを特徴とする請求項１、２、３、４又は５記載の針用保護キャップ。
【考案の詳細な説明】
【技術分野】
【０００１】  本考案は、主に縫針やまち針等の先端部や後端部を保護するための針用保護キャップに関するものである。
【背景技術】
【０００２】  従来の技術としては、同様なものはないが、例えば、注射針カバーであって、弾性樹脂材料からなり、後端には開口部を有し、該後端から所定の中間位置まで筒状に形成されるとともに該中間位置から先端に向けて径が小さくなる略円錐状に形成され、かつ、先端部には注射針保持部が形成されて最先端部において閉口され、該中間位置における内側面所定の位置に円弧状の溝を設けるとともに、該中間位置における外側面所定の位置に円弧状の凸部を設けたことを特徴とする注射針カバーがある。（特許文献１参照）
【先行技術文献】
【特許文献】
【０００３】
【特許文献１】  特開２００６−１８０９０４号  公報
【考案の概要】
【考案が解決しようとする課題】
【０００４】  上記注射針カバーは、注射針に装備するもので、針刺し事故は防止できるが、本考案のような縫針等に使用できるものではなく、よって、機能・効果が異なるものである。
【課題を解決するための手段】
【０００５】  本考案は、上記の問題点を解決するため、針の先端及びまたは後端を保護するキャップであって、下面に挿入孔を設け、底部内面をテーパー状に形設してなる押圧部を設けてなる中空状のキャップ本体内に、下部に押圧部に対応するベアリングによる締付部を設けると共に、中心に穴を設けた締付保持体を弾性具にて上下動可能に形成してなり、締付保持体の頂部に装飾具を設けてなること、弾性具が、圧縮スプリングであること、挿入孔の寸法をΦ０．３ｍｍ〜Φ１．１ｍｍとすること、キャップ本体の外周より、装飾具を突出してなること、装飾具の外形が、多角形・昆虫形・動物形であること、装飾具がガラスや非鉄金属・樹脂であること。
【考案の効果】
【０００６】１）、針用保護キャップは、締付保持体のベアリングによる締付具により縫針やまち針の先端部や後端部を確実に保護できることにより、安全に各針を持ち運びすることができる。
２）、落下させた時においても各針を破損することなく保護できる。
３）、各針をテーブルの置いて使用する場合においても装飾具がキャップ本体の外周より突出することにより、各針を取り易く、作業性が良い。
４）、装飾具により目印となると共に、ガラス石等の色違いにより針の種類を識別できる。
５）、装飾具をキャップ本体の外周より突出し、多角形にすることにより、ころがりにくく、紛失しにくい。
６）、服や布等に針のつけ忘れも防止できる。
【図面の簡単な説明】
【０００７】
【図１】  本発明の針用保護キャップの一実施例を示す開放した状態の一部縦断正面図。
【図２】  本発明の針用保護キャップの一実施例を示す締め付けた状態の一部縦断正面図。
【図３】  本発明の針用保護キャップの一実施例を示す平面図。
【図４】  本発明の針用保護キャップの一実施例を示す底面図。
【図５】  本発明の針用保護キャップの使用状態図。
【考案を実施するための形態】
【０００８】  １は、縫針及びまたはまち針の先端及びまたは後端を保護する針用保護キャップである。
２は、下面に挿入孔２ａを設け、底部内面を逆円錐テーパー状に形設してなる押圧部２ｂを設けてなる中空状のキャップ本体で、外周を凹凸状や多角形状に形成（持った時滑りにくい）することが望ましい。
３は、上記キャップ本体２内に上下動する締付保持体で、下部に上記押圧部２ｂに対応するベアリングによる締付部３ａ（この実施例の場合、３個）を設けると共に、中心に穴３ｂ１を設け、頂部に外形平面六角形の非鉄金属・樹脂による基台４ａの上部に、ガラス等によるカラー石４ｂを設けてなる装飾具４を設けてある。
また、基台４ａを昆虫形や動物形にするのも一考です。
なお、キャップ本体２の外周Ｈより装飾具４（基台４ａの外周Ｈ１）を突出してなる。
５は、圧縮スプリングによる弾性具で、上記締付保持体３を上下動すべく装着してある。
【０００９】  つぎに、針用保護キャップの使用例を説明する。
まず、まち針Ｍの先端部Ｓを針用保護キャップ１の挿入孔２ａより挿入し、弾性具４により押圧部２ｂにて押圧された締付部３ａが、先端部Ｓを押圧することによりロックされ、まち針Ｍを引き抜こうとしても引き抜くことはできない。
よって、この状態でテーブル（図示せず）上にまち針Ｍを置いて使用する上においても針用保護キャップ１を掴んで簡単に取ることができ、落下させてもまち針Ｍの先端を破損させることなく安全に使用できると共に、手や足に刺さることもなく、装飾具により目印になり、色違いにより針の種類を識別でき、ころがりにくく、針のつけ忘れの防止もできる。
【００１０】  上記各実施例において、各部材の材質は特に限定するものではない。
また、各針の大きさに合わせて針用保護キャップを製作すればよい、特に大きさは限定しない。
さらに、使用できる針の径は、Φ０．４ｍｍ〜Φ１．０ｍｍとすることが望ましい。
【符号の説明】
【００１１】１――――針用保護キャップ
２――――キャップ本体
３――――締付保持体
４――――装飾具
５――――弾性具
Ｍ――――まち針
【図１】
0003164353.tif 000003
【図２】
0003164353.tif 000004
【図３】
0003164353.tif 000005
【図４】
0003164353.tif 000006
【図５】
0003164353.tif 000007
(57)【要約】【課題】土を掘ったり掻いたりするときに、握りやすく力を入れやすいＬ型に曲げた草取り具を提供する。【解決手段】一端に把持部を設けた鋼製棒の他端をＬ字状に折曲すると共に、Ｌ字状に折曲した先端にＶ字状の草挿入部を形成したことを特徴とする草取り具であって、握りやすい把持部１に、鋼製棒２を差込み抜けないように固定、鋼製棒２の先に草挿入部３を設け、鋼製棒２をＬ型に曲げ折られているものである。【選択図】図１
0003164327.tif 000002
【実用新案登録請求の範囲】
【請求項１】
一端に把持部を設けた鋼製棒の他端をＬ字状に折曲すると共に、Ｌ字状に折曲した先端にＶ字状の草挿入部を形成したことを特徴とする草取り具。
【考案の詳細な説明】
【技術分野】
【０００１】この発明は、土かきや草取りなどに使用する草取り具に関するものである。
【背景技術】
【０００２】従来、園芸で土の表面を掻いたり、掘るという作業では、スコップを利用していたが、草を取るには使い勝手が悪かった。
【先行技術文献】
【特許文献】
【０００３】
【特許文献１】特開２０００−１２５６１５
【考案の概要】
【考案が解決しようとする課題】
【０００４】従来、硬い土をほぐしたり草の根をほじる際には、スコップを持ち替えて、土に挿入したりつつくという方法をとっていた。土をすくうという元来のスコップの用途以上のものをスコップに委託しているため、その薄さなどから変形したり、力が入りにくかった。
また、鋼製の棒だけでは、握りにくく滑りやすかった。
本考案は、その握りやすさの改善と持ちやすさと頑強さを備えるためのものである。
【課題を解決するための手段】
【０００５】上記課題を解決するために、本考案では、一端に把持部を設けた鋼製棒の他端をＬ字状に折曲すると共に、Ｌ字状に折曲した先端にＶ字状の草挿入部を形成したことを特徴とする草取り具を提供する。
【考案の効果】
【０００６】本考案は、一端に把持部を設けた鋼製棒の他端をＬ字状に折曲すると共に、Ｌ字状に折曲した先端にＶ字状の草挿入部を形成したことを特徴とするものであるから、Ｖ字状の草挿入部を下にして把持部を握ると、土をかくとき、手首を曲げずに力をこめることが出来るという効果があり、更に、鋼製棒が硬いので、固めの土も線をかくように土をほぐすことが出来るという効果があり、更に、鋼製棒を細くすることが可能なので、雑草を抜く時など周りの草木に影響なく、取り除きたい土だけを掻くことが出来るという効果がある。
【図面の簡単な説明】
【０００７】
【図１】本考案の斜視図である。
【図２】本考案の立面図である。
【図３】本考案の断面図である。
【考案を実施するための形態】
【０００８】以下、本考案を実地するための最良の形態について説明する。
滑りにくい素材や形状に加工した把持部１に鋼製棒２を差込み抜けないように固定し鋼製棒２の先にＶ字状の歯となる草挿入部３を設け、鋼製棒２をＬ字状で角度が８０度に曲げて折曲部４を設けた。鋼製棒２はステンレスでできている。
本考案は、以上のような構造である。
これを使用するときは、草挿入部３を下にしてにぎり、掘りたいところの土を掻いたり、雑草を抜くときにその草の根のみ引いたり、野菜の苗の定植植え替え時のポットから苗を抜くときの補助道具となり、角度θが８０°程度に曲げられていると、土へスムーズに挿入することができる。
【実施例】
【０００９】以下、添付図面に従って一実施例を説明する。１は把持部であり、滑りにくい材質であるゴムでできていて、表面には適宜凹溝が形成されている。２は鋼製棒であり、錆びない材質のステンレス鋼でできており、一端は把持部１に挿入固定され、他端は先にＶ字状の歯となる草挿入部３を設け、中間部にＬ字状で角度が８０度程度の折曲部４が設けられている。草挿入部３は、鋼製棒２よりも幅が広く圧延され、カッターで先端がＶ字状の歯が形成されるとともに、表面は平坦に形成されていて、草を保持し易くし、草挿入部３の裏面は曲面状に形成されていて土へスムーズに挿入し易くしている。
【符号の説明】
【００１０】１  把持部
２  鋼製棒
３  草挿入部
４  折曲部
【図１】
0003164327.tif 000003
【図２】
0003164327.tif 000004
【図３】
0003164327.tif 000005
(57)【要約】      （修正有）【課題】生鮮詰め容器体の容器部分を食卓食器を兼ね、食卓に配膳する生鮮詰め容器を提供する。【解決手段】木素材を用い、適当な大きさ、高さ、深さ、厚さ等を有す詰め容器体枠部１を設け、内側壁部に、迫上げ及び脱着機能を図る上下する内周曲線辺を設けた内周肉厚摺動片５を周設に備へると共に、別体を有し、食卓食器を兼ねた詰め容器体部６を設け、外側壁部に回動迫上げ及び脱着機能を図る。上下する外周曲線辺を設けた外周肉厚摺動片５ａを周設に備へ、詰め容器体枠部１の内体に詰め容器体部６を、摺接を有す一体の入置に備へたことを特徴とする迫上げ食器付き生鮮詰め容器。【選択図】図１
0003164313.tif 000002
【実用新案登録請求の範囲】
【請求項１】
木素材を用い、適当な大きさ、高さ、深さ、厚さ等を有す、詰め容器体枠部を設け、内側壁部に、迫上げ及び脱着機能を図る、上下する内周曲線辺を設けた、内周肉厚摺動片を周設に備へると共に、別体を有し、食卓食器を兼ねた、詰め容器体部を設け、外側壁部に、回動迫上げ及び脱着機能を図る、上下する外周曲線辺を設けた、外周肉厚摺動片を周設に備へ、詰め容器体枠部の内体に、詰め容器体部を、摺接を有す一体の入置に備へたことを特徴とする、迫上げ食器付き生鮮詰め容器。
【請求項２】
詰め容器体枠部と、詰め容器体部との一体を、紙素材を用いて構成を有した、請求項１記載による、迫上げ食器付き生鮮詰め容器。
【考案の詳細な説明】
【技術の分野】
【０００１】  本考案は、木素材を用いた、詰め容器体枠部の内体に、別体を有し、食卓食器を兼ね、且つ、迫上げ及び脱着機能を設けた、詰め容器体部を一体の入置に備へた、迫上げ食器付き生鮮詰め容器に関するものである。
【背景の技術】
【０００２】  店頭購入による食品を食卓において食事をするさい、特に生鮮食品等は、いつも見慣れた食卓食器に移し替えられ配膳されることが通常とされている。又、食事後における使用食器の洗浄が待ちうけている。
【考案の概要】
【考案が解決しようとする課題】
【０００３】  食卓に配膳されるさい、購入食品種における食器等の選択に手間を要することが多いと共に、食事後の食器洗浄にも時間を要する。又、購入容器から選択食器に移し替えられるさいに発生する、生鮮頻度の低下につながる。
従って、食卓食器の機能と、詰め容器の機能とを一体に兼ね備へたことにより、食卓における食器の選択をなくすると共に、食品の移し替え時の余分な大気の触れや、盛り箸との接触等もなく生鮮頻度の低下を防ぐことができる。又、食事後の食器洗浄の手間もはぶける。
よって、前述の欠点を解決しようとするものである。
【課題を解決するための手段】
【０００４】  本考案は、木素材を用い、適当な大きさ、高さ、深さ、厚さ等を有す詰め容器体枠部１を設け、内側壁部２の内周低縁４より中間高位に、迫上げ及び脱着機能を図る、上下する内周対向辺の高低位が同一高低位を有す内周曲線辺３を設けた内周肉厚摺動片５を周設に備へ、肉厚摺動上台帯８を設け備へていると共に、別体を有し、食卓食器を兼ねた詰め容器体部６を設け、外周端縁４ａより、肉厚摺動上面台帯８に摺接を有し、上下する外周対向辺が、内周曲線辺３の高低位と同一高低位を有す外周曲線辺３ａを設けた、外周肉厚摺動片５ａを周設に備へ、肉厚摺動下面台帯８ａを設け、又、詰め容器体部６の裏低面体９に、回動迫上げ及び脱着機能を図る、迫上げ十字体具１０を固定に設け、詰め容器体枠部１の肉厚摺動上面台帯８に、詰め容器体部６の肉厚摺動下面台帯８ａを摺接を有し、上下する内外曲線辺の交互高低位における一体の入置に備へたことにより問題点を解決している。
【考案の効果】
【０００５】  上述の様に、本考案の木素材を用いた、迫上げ食器付き生鮮詰め容器は、店頭における販売時の詰め容器としては勿論のこと、食卓において新たな食器への移し替える必要のない和風食器による配膳を有し、楽しい家庭の食事を盛り上げる。
【図面の簡単な説明】
【０００６】
【図１】  本考案の迫上げ食器付き生鮮詰め容器の実施例を示す断面図
【図２】  本考案の詰め容器体枠部を示す断面図
【図３】  本考案の詰め容器体部を示す側面図
【図４】  本考案の詰め容器体部の裏低を示す低面図
【考案を実施するための形態】
【０００７】  木素材を用い形成した、詰め容器体枠部の内側壁部に、迫上げ及び脱着機能を図る内周曲線辺を設けた内周肉厚摺動片を周設に備へ、肉厚摺動上面台帯を設けると共に、別体に形成を有し、回動迫上げ及び脱着機能を図る、食卓食器を兼ねた詰め容器体部を設け備へ、外側壁部に摺接を図る、外周肉厚摺動片を周設に備へ、肉厚摺動下面台帯を設け、詰め容器体枠部の肉厚動上面台帯に、詰め容器体部に設けた肉厚摺動下面台帯を、上下する内外曲線辺を交互高低位の摺接における一体の入置に備へ、詰め容器体部の裏低面体部に固定に設けた、迫上げ十字体具の回動において摺動迫上げを図る、食卓食器を兼ねた詰め容体部を迫上の状態及び脱着の状態において使用する。
【実施例】
【０００８】  以下、添付図面に従って実施例を説明する。１は木素材を用い適当な大きさ、高さ、深さ、厚さ等に設け備へた詰め容器体枠部、２は詰め容器体枠部１の内側壁部を示し、４の内周低縁より中間高位に対し、迫上げ及び脱着機能を図る、内周対向辺の高低位が同一高低位を有す３の内周曲線辺を設けた５の内周肉厚摺動片を周設に備へ、８の肉厚摺動上面台帯を設けている。【０００９】  ６は本素材を用い、詰め容器体枠部１の内径巾を有し別体に設け、食卓食器を兼ねた、詰め容器体部、４ａは６の外周端縁を示し、肉厚摺動上面台帯８との上下する高低位に摺接し、回動迫上げ及び脱着機能を図る、外周対向辺が内周曲線辺３の上下する高低位と同一高低位有す、３ａの外周曲線辺を設けた、５ａの外周肉厚摺動片を周設に備へ、８ａの肉厚摺動下面台帯を設け、９は６の裏低面体部を示し、回動自在の摺接において迫上げを図る、迫上げ十字体具１０を固定に設け備へている。又、詰め容器体部６の内体低面部に食器損傷等を防止する、軟質素材を用いた１１の防床シートを敷置に備へ、詰め容器体枠部１の枠部外周端縁７の周縁に透明素材を用いた１２の容器蓋を冠着に備へている。【００１０】  本考案の一実施例は上述の如き構成からなるもので、詰め容器体枠部１と別体を有し食卓食器を兼ねた、詰め容器体部６を共に木素材を用い構成した以外の他種素材を用いた、紙素材における上述の如き構成を有したもの、他か竹素材、陶器素材、合成樹脂素材、ガラス等の素材や、木素材と紙素材とのように、異種素材の組合せにおいて上述の構成を有することも可能である。
【符号の説明】
【００１１】１  詰め容器体枠部
２  内側壁部
３  内周曲線辺                  ３ａ  外周曲線辺
４  内周低縁                    ４ａ  外周端縁
５  内周肉厚摺動片              ５ａ  外周肉厚摺動片
６  詰め容器体部
７  枠部外周端縁
８  肉厚摺動上面台帯            ８ａ  肉厚摺動下面台帯
９  裏低面体部
１０  迫上げ十字体具
１１  防床シート
１２  容器蓋
【図１】
0003164313.tif 000003
【図２】
0003164313.tif 000004
【図３】
0003164313.tif 000005
【図４】
0003164313.tif 000006
(57)【要約】      （修正有）【課題】生ごみ処理を維持費を掛けずに、さらに臭いや虫の発生を防ぎ庭の無い集合住宅等でも快適に行なえる家庭用生ごみ処理装置を提供する。【解決手段】箱型の容器の他の面より高く構成された後面と、透明のポリカーボネート波板で構成された四角形の蓋の一辺を蝶板で固定する。【選択図】図１
0003164318.tif 000002
【実用新案登録請求の範囲】
【請求項１】
箱型の容器に黒土を入れ、蓋として透明のポリカーボネート波板を使用し側面の隙間を確保するために傾斜させて設置すること。
【考案の詳細な説明】
【技術分野】
【０００１】
本考案は、家庭から出る生ごみの処理に関するものである。
【背景技術】
【０００２】
従来家庭用生ごみ処理装置として攪拌機構を備えた電気式や、密閉式で庭に据え置く堆肥化装置等が普及していた。                                        
【先行技術文献】
【非特許文献】
【０００３】
【非特許文献１】藤原俊六朗監修「家庭でつくる生ごみ堆肥」農文協出版  １９９９年
【考案の概要】
【考案が解決しようとする課題】
【０００４】
しかし電気代が掛かったり特別なチップ（基材）が必要であったり、庭に据え置く装置はそもそも庭が必要であり密閉されているために生ごみが腐敗し易く悪臭と虫の発生に悩まされていた。また一定期間使用後には中身を可燃ごみとして処理したりチップの交換が必要であった。本考案は維持費も掛からず臭いと虫の発生も少なく庭の無い集合住宅等での使用も可能にしたものである。
【課題を解決するための手段】
【０００５】
土の中に存在する微生物の働きによって生ごみを分解するので維持費が全く掛からない。微生物による分解で生ごみは約千分の一程度に減少するので長期間に亘りほとんど土が増えることが無く中身の処理に困らない。箱型の容器を使用することで庭の無い集合住宅等での設置も可能になった。太陽光を利用して土の温度を上昇させ微生物を活性化させるために蓋の材料に透明の波板を使用し、傾斜して取り付けることにより雨水を流し側面からの風通しを確保して常に土の表面を乾燥状態に保ち悪臭と虫の発生を防止するものである。
【考案の効果】
【０００６】
維持費が掛からず臭いと虫の発生が少なく、集合住宅等での使用も可能になる事により生ごみの自家処理が促進されることが期待される。家庭からの生ごみ排出量が減少することにより焼却に必要な化石燃料も削減可能になり地球温暖化の防止に多いに寄与するものである。
【図面の簡単な説明】
【０００７】
【図１】図１は本考案の斜視図である。
【図２】図２は本考案の側面図である。
【考案を実施するための形態】
【０００８】
以下、本考案の実施の形態について説明する。
（イ）後面を少し高くした箱型の容器２を作製して蝶番３により蓋１（透明ポリカーボネート波板）を傾斜させて取り付ける。
（ロ）    
風通し用の隙間４を確保した容器２に黒土を七分目程投入する。
（ハ）   
容器の標準寸法は高さ６０センチ、横幅９０センチ、奥行４５センチ。
【０００９】
本考案にかかる装置の使用に際しては、先ず、黒土を２０センチ程掘り生ごみを投入して土と良く混ぜ合わせる。乾燥した土で表面を覆うことにより、臭いと虫の発生を防ぐことができる。
【符号の説明】
【００１０】
１  蓋（透明ポリカーボネート波板）
２  容器
３  蝶番
４  隙間
【図１】
0003164318.tif 000003
【図２】
0003164318.tif 000004
【手続補正書】
【提出日】平成22年9月22日(2010.9.22)
【手続補正１】
【補正対象書類名】実用新案登録請求の範囲
【補正対象項目名】全文
【補正方法】変更
【補正の内容】
【実用新案登録請求の範囲】
【請求項１】
箱型の容器の他の面より高く構成された後面と、透明のポリカーボネート波板で構成
された四角形の蓋の一辺を蝶番で固定した家庭用生ごみ処理装置。